(57)【要約】【課題】ロータリ耕耘部を覆うカバー装置の弾性カバーに付着する泥土を効果的に排除する。【解決手段】ロータリ耕耘部Ａの上方を覆う上部カバー体２と、この上部カバー体２の後端側に枢支部３を介して回動自在に取り付けられロータリ耕耘部Ａの後方を覆う後部カバー体４と、上部カバー体２及び後部カバー体４のロータリ耕耘部Ａ側の面を覆う弾性カバー５とが設けられ、上部カバー体２及び後部カバー体４と弾性カバー５との間に、枢支部３に跨って前後方向に延びていて上下に揺動する押動体６が設けられている。【選択図】図１
2010068733.tif 000002
【特許請求の範囲】
【請求項１】
ロータリ耕耘部（Ａ）の上方を覆う上部カバー体（２）と、この上部カバー体（２）の後端側に枢支部（３）を介して回動自在に取り付けられていて前記ロータリ耕耘部（Ａ）の後方を覆う後部カバー体（４）と、前記上部カバー体（２）及び前記後部カバー体（４）の前記ロータリ耕耘部（Ａ）側の面を覆う弾性カバー（５）とが設けられ、
前記上部カバー体（２）及び前記後部カバー体（４）と前記弾性カバー（５）との間に、前記枢支部（３）に跨って前後方向に延びていて上下に揺動することにより前記弾性カバー（５）をロータリ耕耘部（Ａ）側に押す押動体（６）が設けられていることを特徴とするロータリ耕耘機のカバー装置。
【請求項２】
前記押動体（６）は帯板形状に形成され、前記ロータリ耕耘部（Ａ）の左右方向に間隔をおいて複数配置されていることを特徴とする請求項１に記載のロータリ耕耘機のカバー装置。
【請求項３】
前記弾性カバー（５）は、前後左右多数箇所において前記上部カバー体（２）及び前記後部カバー体（４）に取り付けられ、
前記押動体（６）は、前後端の少なくとも一端が前記上部カバー体（２）、前記後部カバー体（４）又は前記弾性カバー（５）のいずれかに係止されていることを特徴とする請求項１又は２に記載のロータリ耕耘機のカバー装置。
【発明の詳細な説明】
【技術分野】
【０００１】
本発明は、ロータリ耕耘部の外周側を覆うロータリ耕耘機のカバー装置に関するものである。
【背景技術】
【０００２】
従来、ロータリ耕耘機にあっては、ロータリ耕耘部の少なくとも外周側を覆うロータリカバーを備えており、このロータリカバーは、ロータリ耕耘部の上方を覆う上部カバー体と、この上部カバー体の後端側に左右軸廻りに回動自在に枢支連結されていてロータリ耕耘部の後方を覆う後部カバー体とを備えている。
前記カバー体として、板金で形成した上部カバー体及び後部カバー体の両内面側にわたって泥付着防止のためにゴム製の弾性カバーが設けられているものがある（特許文献１参照）。
【０００３】
このロータリカバーのカバー体にあっては、矩形状に形成された枠体の上面側に該枠体の開口を塞ぐように上板を設け、枠体の内面側（ロータリ耕耘部側）に枠体の開口を塞ぐように弾性カバーを設け、上板をプラスチックの板材又は薄い金属板によって形成すると共に、弾性カバーを少なくとも前後一方の連結枠材と上板とによって支持している。
【特許文献１】特開２００７−１２４９５９号公報
【発明の開示】
【発明が解決しようとする課題】
【０００４】
前記従来技術では、弾性カバーが土石の衝突により振動するので、泥土の付着は少ないが、作業中に付着泥土が次第に積もってくることがある。
そこで、本発明は、前記問題点に鑑みて、弾性カバーに付着する泥土を効果的に排除できるようにしたロータリ耕耘機のカバー装置を提供することを目的とする。
【課題を解決するための手段】
【０００５】
前記目的を達成するため、本発明は、以下の技術的手段を採用した。
第１に、ロータリ耕耘部Ａの上方を覆う上部カバー体２と、この上部カバー体２の後端側に枢支部３を介して回動自在に取り付けられていて前記ロータリ耕耘部Ａの後方を覆う後部カバー体４と、前記上部カバー体２及び前記後部カバー体４の前記ロータリ耕耘部Ａ側の面を覆う弾性カバー５とが設けられ、前記上部カバー体２及び前記後部カバー体４と前記弾性カバー５との間に、前記枢支部３に跨って前後方向に延びていて上下に揺動することにより前記弾性カバー５をロータリ耕耘部Ａ側に押す押動体６が設けられていることを特徴とする。
【０００６】
第２に、前記押動体６は帯板形状に形成され、前記ロータリ耕耘部Ａの左右方向に間隔をおいて複数配置されていることを特徴とする。
第３に、前記弾性カバー５は、前後左右多数箇所において前記上部カバー体２及び前記後部カバー体４に取り付けられ、前記押動体６は、前後端の少なくとも一端が前記上部カバー体２、前記後部カバー体４又は前記弾性カバー５のいずれかに係止されていることを特徴とする。
これにより、後部カバー体４が上下揺動した際に、押動体６が弾性カバー５を内面側（ロータリ耕耘部Ａ側）に押し出し変形させるため、弾性カバー５に付着した泥を落とすことができる。
【０００７】
また、押動体６を左右方向に複数配置することで、広範囲に亘って弾性カバー５の泥を落とすことができる。
さらに、上部カバー体２、後部カバー体４又は弾性カバー５のいずれかの動きに連動して、押動体６を揺動させることができる。
【発明の効果】
【０００８】
本発明によると、ロータリ耕耘部を覆うカバー装置の弾性カバー、特に枢支部に付着する泥土を後部カバー体の上下揺動により効果的に排除することができる。
【発明を実施するための最良の形態】
【０００９】
以下、本発明の実施の形態を図面を参照して説明する。
図１〜５には、本発明の第１実施形態に係るロータリ耕耘機Ｘのカバー装置１が示されている。
ロータリ耕耘機Ｘは、走行車両（図示省略）の後部に三点リンク機構等を介して昇降自在に装着されるサイドドライブ式のロータリ耕耘機であり、機枠８、爪軸１３及びカバー装置１を備えている。
機枠８は、左右方向中央部のギヤケース９から左右両側にサポートアーム１０を突設していると共に、右サポートアーム１０の外端側に板材からなるサイドフレーム１１を下方突出状に設け、左サポートアーム１０の外端側にロータリ耕耘部Ａへと動力を伝達する伝動機構を収容する伝動ケース１２が取り付けられてなる。
【００１０】
伝動ケース１２とサイドフレーム１１との下部間に左右方向の軸心回りに回転自在に支持された爪軸１３と、この爪軸１３に左右方向にわたって取り付けられた多数の耕耘爪１４とでロータリ耕耘部Ａが形成されており、ロータリ耕耘部Ａの爪軸１３は、走行車両のＰＴＯ軸の動力が、ギヤケース９等内の動力伝達機構、サポートアーム１０内の伝動軸、伝動ケース１２内の動力伝達機構を介して、爪軸１３に伝えられることで、矢示Ｒ方向に回転駆動されるように構成されている。
カバー装置１は、ギヤケース９及び左右サポートアーム１０の下方に配置されていてロータリ耕耘部Ａの上方を覆う上部カバー体２と、この上部カバー体２の後端側に左右方向の枢支部３を介して回動自在に取り付けられていてロータリ耕耘部Ａの後方を覆う後部カバー体４と、上部カバー体２及び後部カバー体４の内面側（ロータリ耕耘部Ａ側）に設けられた弾性カバー５と、各カバー体２、４及び弾性カバー５に挟まれた押動体６と、ロータリ耕耘部Ａの左右の側方を覆う左右一対の側部カバー体（図示省略）とを備えている。
【００１１】
上部カバー体２は、平面視略矩形状の上板２Ａと、上板２Ａの左右端に設けられた左右の各側板２Ｂと、この各側板２Ｂの前部同士を連結する前枠材２Ｃと、各側板２Ｂの後部同士を連結する後枠材２Ｄと、各側板２Ｂ及び各枠材２Ｃ、２Ｄの内面側に設けられた下板２Ｅとを備え、側面視で上向き凸の円弧形状に形成されている。なお、上板２Ａ及び下板２Ｅは、板金で形成されているが、繊維強化プラスチック等の可撓性、弾性を有する軽量の板材によって構成してもよい。
また、下板２Ｅの前後端及び前後方向中途部の内面側には、弾性カバー５を取り付けるための取付部１５が左右方向において複数箇所（本実施形態では、８箇所）に溶接等によって固定されている。
【００１２】
後部カバー体４は、平面視略矩形状の上板４Ａと、上板４Ａの左右端に設けられた左右の各側板４Ｂと、上板４Ａの前後端に設けられた前後の各補強材４Ｃ、４Ｄとを備えている。また、上板４Ａ及び各側板４Ｂは、前後方向中途部が側面視く字状となるように形成されている。なお、上板４Ａは、板金で形成されているが、繊維強化プラスチック等の可撓性、弾性を有する軽量の板材によって構成してもよい。
また、前の補強材４Ｃの内面側には、弾性カバー５を取り付けるための取付部１５が左右方向において複数箇所（本実施形態では、８箇所）に溶接等によって固定されている。そして、上板４Ａの前後方向中途部には、弾性カバー５を取り付けるための前後に長い長円状の中央取付部１６が左右方向において複数箇所（本実施形態では、８箇所）に下向きに突出して形成されている。
【００１３】
後部カバー体４の上板４Ａの上面左右方向中央側には、各補強材４Ｃ、４Ｄを連結するブラケット１７が左右一対設けられている。このブラケット１７の左右の側壁部の前側は上方に向けて延出されており、この延出部分と、上部カバー体２のサポートアーム１０に固着されたブラケットとにわたって、耕耘時において土からの反力による後部カバー体４の浮き上がりを弾性的に抑える弾下装置１８が設けられている。
後部カバー体４を枢支するために、上部カバー体２の各側板２Ｂの外側面の後端側に設けられた左右の各ボス１９及び中央の筒状の連結部材２０と、各ボス１９及び連結部材２０のそれぞれに挟まれるように後部カバー体４の前の補強材４Ｃ前端に設けられた左右一対の筒状の軸受２１と、各ボス１９、連結部材２０及び各軸受２１に亘って貫通する枢軸２２とで枢支部３が形成されている。つまり、後部カバー体４は、上部カバー体２に対して枢軸２２廻りに回動自在に支持されている。
【００１４】
弾性カバー５は、矩形状に形成されたゴム板等の弾性板材であり、上部カバー体２及び後部カバー体４の内面側を一枚の弾性板材によって覆っている。また、弾性カバー５は、上部カバー体２及び後部カバー体４の各側板２Ｂ、４Ｂ間にわたる幅で且つ上部カバー体２の前枠材２Ｃ前端側から後部カバー体４の後の補強材４Ｄ前端側に至る長さに形成されている。
また、弾性カバー５における前端、上部カバー体２下方の前後方向中途部、及び枢支部３の前後付近は、上部カバー体２及び後部カバー体４の各取付部１５によって取付固定されている。弾性カバー５の後部カバー体４下方の前後方向中途部は、後部カバー体４の各中央取付部１６に取付固定され、これら各取付部１５、１６は、上部カバー体２の下板２Ｅ及び後部カバー体４の上板４Ａのその他の部分（ロータリ耕耘部Ａ側の面）から下方に突出しており、下板２Ｅ及び上板４Ａと弾性カバー５との間に空間が形成されている。
【００１５】
押動体６は、可撓性をもち直線状に延びる帯板形状の鋼材（バネ板等）であり、上部カバー体２の下板２Ｅ及び後部カバー体４の上板４Ａと弾性カバー５との間の空間に配置される。押動体６は、枢支部３に対して前後方向に跨って延びており、各カバー体２、４の各取付部１５、１６の間であって左右方向に多数箇所（実施形態では、８個）設けられている。
押動体６の後端は、後部カバー体４における前の補強材４Ｃの後端下方に配置され、弾性カバー５の上面に留め具７によって係止されている。一方、押動体６の前端は、上部カバー体２の後枠材２Ｄの前端下方に配置され、いずれにも係止されていない自由端である。したがって、押動体６は、上部カバー体２の下板２Ｅ及び後部カバー体４の上板４Ａと弾性カバー５との間で枢支部３の下端に当接しつつ上下方向に揺動可能となっており、押動体６の前端及び後端は枢支部３を基点にシーソー運動をする。
【００１６】
なお、押動体６は、上方又は下方に湾曲した側面視円弧状であってもよい。また、押動体６の前端にゴムキャップ等を被せ、押動体６のエッジが弾性カバー５を傷つけないようにしてもよい。
続いて、ロータリ耕耘機Ｘのカバー装置１の使用態様を説明する。
図２に示すように、走行車両を旋回させる際、又は耕耘の開始や終了の際に、ロータリ耕耘機Ｘ全体を上昇させることによって、後部カバー体４は上部カバー体２に対して枢支部３から下に折れ曲がった状態となる。このとき、押動体６の前端が上部カバー体２の下板２Ｅの内面側に当接し、押動体６の中途部は、枢支部３の下方に位置する弾性カバー５を上から押圧し、枢支部３下方の弾性カバー５をロータリ耕耘部Ａ側へ押し出し変形させる。
【００１７】
したがって、走行車両を旋回させるごと又は耕耘の開始や終了時に、枢支部３下方の弾性カバー５付近に付着した土を落とすことができる。
また、耕耘が終了した際に、枢支部３を基点に後部カバー体４を上方へ揺動させた場合、図１及び図３に示すように、押動体６が上下方向に揺動する。その揺動のたびに、押動体６の前端は、上部カバー体２の下方に位置する弾性カバー５を上から押圧し、上部カバー体２下方の弾性カバー５をロータリ耕耘部Ａ側へ押し出し変形させる。また、押動体６の後端は、後部カバー体４の下方に位置する弾性カバー５を上から押圧し、後部カバー体４下方の弾性カバー５をロータリ耕耘部Ａ側へ押し出し変形させる。
【００１８】
したがって、押動体６の揺動により弾性カバー５がロータリ耕耘部Ａ側へ膨出変形し、カバー装置１の内面側に付着した土を落とすことができる。
さらに、耕耘時にあっては、耕耘爪１４によって耕起されて後方及び上方に放てきされた土は、上部カバー体２及び後部カバー体４の下方に位置する弾性カバー５に衝当して砕土される。これによって弾性カバー５が振動し、これに伴って押動体６が上下方向に揺動する。
したがって、土の衝当による弾性カバー５の振動に加え、押動体６の揺動による弾性カバー５のロータリ耕耘部Ａ側への押圧のため、カバー装置１の内面側への土の付着を防止できる。
【００１９】
また、本実施形態においては、図１及び５に示すように、上述の弾下装置１８とともに、後部カバー体４の後端に取り付けられたフラップカバー２３によって、後部カバー体４を下方へ加圧している。
フラップカバー２３は、耕耘後の圃場を整地すべく、その底部に前下方に向けて湾曲状に形成された側面視円弧状の整地部材２４を有している。また、後部カバー体４の後端に取付装置を介して回動軸廻りに回動角度調整自在に取付けられ、フラップカバー２３の左右両端には延長フラップカバー２５が装着されている。
【００２０】
整地部材２４は、図１及び図５に示す如くロータリ耕耘部Ａの幅と同程度の幅を有する金属製の薄板を屈曲形成して構成されている。整地部材２４は、側面視において、前後方向に凸円弧状に形成された整地面２４Ａと、この整地面２４Ａの前端から立ち上がって形成される押動面２４Ｂと、整地面２４Ａの後部を下側から上側に向けて弧状に折り返して形成されるループ面２４Ｃと、押動面２４Ｂの背部とループ面２４Ｃとの間に亘る上板２４Ｄとからなり、内部空洞に形成されており、この空洞に水を注入可能となっている。
上板２４Ｄには、整地部材２４内に水を注入するためであって栓付きの注入孔２４Ｅが複数設けられており、注水量を変えることによって、後部カバー体４を下方へ加圧する程度を調整できる。前記注入孔２４Ｅの１つは、水の注入排出を容易にするための空気孔となる。
【００２１】
本発明の第２実施形態を説明する。
図６には、本発明の第２実施形態に係るロータリ耕耘機Ｘのカバー装置１が示されている。
第２実施形態のカバー装置１が第１実施形態と最も異なるところは、押動体６が、前後方向中央部に枢支部３内面側に沿って下方に窪んだ凹部６Ａと、この凹部６Ａから前後方向に延びて下方に湾曲可能な湾曲部６Ｂと、上方へカーブした前端部６Ｃ及び後端部６Ｄとからなる点である。
【００２２】
また、押動体６の後端部６Ｄは、後部カバー体４下方の弾性カバー５の上面に対して、後端部６Ｄのカーブした部分を上方から覆う留め具７に嵌め込まれ、且つ後端部６Ｄは留め具７に対して摺動可能に係止されている。
したがって、図６に示すように、前端部６Ｃが上方へカーブしているため、そのエッジで弾性カバー５を傷つけることが少なくなる。
さらに、走行車両を旋回させる際など、ロータリ耕耘機Ｘ全体を上昇させ後部カバー体４が上部カバー体２に対して枢支部３から下に折れ曲がった時に、押動体６の凹部６Ａが枢支部３の内面側に当接したまま、押動体６の前端部６Ｃと後端部６Ｄとが近づくため、後端部６Ｄは留め具７に対して摺動しつつ、押動体６の前後の湾曲部６Ｂは下方に湾曲するように力が働く。その結果、上部カバー体２及び後部カバー体４の下方に位置する弾性カバー５を上から押圧し、上部カバー体２及び後部カバー体４下方の弾性カバー５をロータリ耕耘部Ａ側へ押し出し変形させる。
【００２３】
したがって、走行車両を旋回させる等ごとに、弾性カバー５がロータリ耕耘部Ａ側へ膨出変形するため、カバー装置１の内面側に付着した土を落とすことができる。
なお、本発明は、前述した実施形態に限定されるものではない。ロータリ耕耘機Ｘ等の各構成または全体の構造、形状、寸法などは、本発明の趣旨に沿って適宜変更することができる。
押動体６は、繊維強化プラスチック（ＦＲＰ、ＦＲＴＰ）等のプラスチックからなる帯状板材、又は板厚の薄い帯状の金属板等の可撓性、弾性を有する素材であってもよく、可撓性をもたなくてもよい。
【００２４】
また、押動体６の後端が後部カバー体４の上面に係止されていてもよく、押動体６の前端が上部カバー体２の上面に係止されていてもよい。さらに、押動体６の前端が弾性カバー５又は上部カバー体２に係止されると同時に、その後端が弾性カバー５又は後部カバー体４に係止されていてもよい。
さらに、押動体６の中途部が、上部カバー体２の連結部材２０又は後部カバー体４の軸受２１に係止されていてもよい。
【図面の簡単な説明】
【００２５】
【図１】本発明の第１実施形態を示す側面図。
【図２】後部カバー体が垂れ下がったときの要部の拡大側面図。
【図３】後部カバー体が揺動したときの要部の拡大側面図。
【図４】カバー装置の展開平面図。
【図５】カバー装置の背面図。
【図６】本発明の第２実施形態における後部カバー体が垂れ下がったときの要部の拡大側面図。
【符号の説明】
【００２６】
１      カバー装置
２      上部カバー体
３      枢支部
４      後部カバー体
５      弾性カバー
６      押動体
Ｘ      ロータリ耕耘機
Ａ      ロータリ耕耘部
【図１】
2010068733.tif 000003
【図２】
2010068733.tif 000004
【図３】
2010068733.tif 000005
【図４】
2010068733.tif 000006
【図５】
2010068733.tif 000007
【図６】
2010068733.tif 000008